(57)【要約】【課題】扉の自閉性を向上しつつ、扉の自閉時における扉の上部のヒンジピンの抜けを防止する冷蔵庫を提供する。【解決手段】扉２は、取付孔２０を有する。ヒンジ保持部材３は、冷蔵庫本体１に設けられ、貫通孔３０を有する。ヒンジピン４は、貫通孔３０および取付孔２０に差し込まれて、扉２を冷蔵庫本体１に対して回動可能に取り付ける。カバー部材５は、冷蔵庫本体１に取り付けられ、ヒンジ保持部材３およびヒンジピン４を覆う。下ヒンジ部６は、扉２を冷蔵庫本体１に対して回動可能に取り付ける。下ヒンジ部６は、扉２を下降させながら閉じる方向に回動案内する自閉機構６０を有する。カバー部材５は、ヒンジピン４に、下向きの力を常時弾性的に付与する押圧部５０を有する。【選択図】図２
2010127477.tif 000002
【特許請求の範囲】
【請求項１】
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれ、左右両側の上記貫通孔および上記取付孔に択一的に取り付けられ、上記扉を上記冷蔵庫本体に対して回動可能に取り付けるヒンジピンと、
上記扉の左右両側のそれぞれの下側に配置されると共に上記扉を上記冷蔵庫本体に対して上記ヒンジピンの軸回りに回動可能に取り付ける下ヒンジ部と、
上記冷蔵庫本体の左右両側のそれぞれに離脱自在に取り付けられると共に上記ヒンジ保持部材および上記ヒンジピンを覆うカバー部材と
を備え、
上記下ヒンジ部は、上記扉を下降させながら閉じる方向に回動案内する自閉機構を有し、
上記カバー部材は、上記ヒンジピンに、下向きの力を常時弾性的に付与する押圧部を有することを特徴とする冷蔵庫。
【請求項２】
請求項１に記載の冷蔵庫において、
上記押圧部は、上記ヒンジピンからの反発力の少なくとも一部を、上記カバー部材が上記冷蔵庫本体に係止する方向に、向きを変えることを特徴とする冷蔵庫。
【請求項３】
請求項２に記載の冷蔵庫において、
上記カバー部材は、
上記ヒンジピンを覆う本体部と、
この本体部に取り付けられると共に、上記ヒンジピンに弾性的に接触する弾性部と、
この弾性部に接続されると共に、上記弾性部の弾性力による上記ヒンジピンからの反発力を、上記カバー部材が上記冷蔵庫本体に係止する方向に、向きを変える反発力方向変換部と
を有し、
上記押圧部は、上記弾性部と上記反発力方向変換部とを含むことを特徴とする冷蔵庫。
【請求項４】
請求項３に記載の冷蔵庫において、
上記本体部、上記弾性部および上記反発力方向変換部は、一体に連なって、形成されていることを特徴とする冷蔵庫。
【請求項５】
請求項１から４の何れか一つに記載の冷蔵庫において、
上記押圧部は、上記ヒンジピンに接触する面に、凸部を有することを特徴とする冷蔵庫。
【発明の詳細な説明】
【技術分野】
【０００１】
この発明は、扉の左右開きを変更できると共に扉を自重により閉じることができる冷蔵庫に関する。
【背景技術】
【０００２】
従来、冷蔵庫としては、扉を上下端で回動可能に支持する扉開閉機構において、扉開閉時に扉の下面と冷蔵庫本体とが互いに摺動する両摺動部の少なくとも一方に、傾斜面を設け、この傾斜面を、扉の自重により扉を下降しながら閉じる方向に回動案内するように、形成していた（特開２００７−２４４６０号公報：特許文献１参照）。
【特許文献１】特開２００７−２４４６０号公報
【発明の開示】
【発明が解決しようとする課題】
【０００３】
しかしながら、上記従来の冷蔵庫では、扉の自重のみで扉を下降させていたので、両摺動部の摩擦によって、扉の下降を妨げ、扉の自閉性が不十分であった。また、扉の自閉時に、扉の上部を冷蔵庫本体に枢結するヒンジピンが、扉の下降に追従しないで、ヒンジピンが扉から抜け出るおそれがあった。
【０００４】
そこで、この発明の課題は、扉の自閉性を向上しつつ、扉の自閉時における扉の上部のヒンジピンの抜けを防止する冷蔵庫を提供することにある。
【課題を解決するための手段】
【０００５】
上記課題を解決するため、この発明の冷蔵庫は、
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれ、左右両側の上記貫通孔および上記取付孔に択一的に取り付けられ、上記扉を上記冷蔵庫本体に対して回動可能に取り付けるヒンジピンと、
上記扉の左右両側のそれぞれの下側に配置されると共に上記扉を上記冷蔵庫本体に対して上記ヒンジピンの軸回りに回動可能に取り付ける下ヒンジ部と、
上記冷蔵庫本体の左右両側のそれぞれに離脱自在に取り付けられると共に上記ヒンジ保持部材および上記ヒンジピンを覆うカバー部材と
を備え、
上記下ヒンジ部は、上記扉を下降させながら閉じる方向に回動案内する自閉機構を有し、
上記カバー部材は、上記ヒンジピンに、下向きの力を常時弾性的に付与する押圧部を有することを特徴としている。
【０００６】
この発明の冷蔵庫によれば、上記下ヒンジ部は、上記扉を下降させながら閉じる方向に回動案内する自閉機構を有するので、下ヒンジ部は、扉の自重で扉を下降させながら閉じることができる。
【０００７】
また、上記カバー部材は、上記ヒンジピンに、下向きの力を常時弾性的に付与する押圧部を有するので、カバー部材の押圧部は、ヒンジピンを介して、扉に下向きの力を常時弾性的に付与する。
【０００８】
このため、下ヒンジ部において摩擦力が扉の下降を妨げても、カバー部材の押圧部により、扉に下向きの力が加わることで、扉は自閉できる。また、扉の自閉時に、カバー部材の押圧部により、ヒンジピンに下向きの力が加わることで、ヒンジピンは扉の下降に追従して、ヒンジピンは扉から抜け出ることがない。したがって、扉の自閉性を向上しつつ、扉の自閉時におけるヒンジピンの抜けを防止する。
【０００９】
また、上記冷蔵庫本体の左右両側のそれぞれに離脱自在に取り付けられると共にヒンジ保持部材およびヒンジピンを覆うカバー部材を備えるので、扉の左右開きを変更するときに、左右のカバー部材を個別に取り外して、ヒンジピンを左右に差し変える。したがって、カバー部材は、冷蔵庫本体の左右両側のそれぞれに設けられ、カバー部材を小型に形成できるので、扉の左右開きを変更するときに、カバー部材の取り外しの作業スペースを小さくできる。
【００１０】
また、一実施形態の冷蔵庫では、上記押圧部は、上記ヒンジピンからの反発力の少なくとも一部を、上記カバー部材が上記冷蔵庫本体に係止する方向に、向きを変える。
【００１１】
この実施形態の冷蔵庫によれば、上記押圧部は、上記ヒンジピンからの反発力の少なくとも一部を、上記カバー部材が上記冷蔵庫本体に係止する方向に、向きを変えるので、カバー部材が冷蔵庫本体から離脱することを防止する。
【００１２】
また、一実施形態の冷蔵庫では、
上記カバー部材は、
上記ヒンジピンを覆う本体部と、
この本体部に取り付けられると共に、上記ヒンジピンに弾性的に接触する弾性部と、
この弾性部に接続されると共に、上記弾性部の弾性力による上記ヒンジピンからの反発力を、上記カバー部材が上記冷蔵庫本体に係止する方向に、向きを変える反発力方向変換部と
を有し、
上記押圧部は、上記弾性部と上記反発力方向変換部とを含む。
【００１３】
この実施形態の冷蔵庫によれば、上記カバー部材は、上記弾性部と上記反発力方向変換部とを有するので、弾性部が受けるヒンジピンからの反発力を、反発力方向変換部により、カバー部材と冷蔵庫本体との係止方向に、向きを変えることができて、簡単な構成で、カバー部材の冷蔵庫本体からの離脱を防止する。
【００１４】
また、一実施形態の冷蔵庫では、上記本体部、上記弾性部および上記反発力方向変換部は、一体に連なって、形成されている。
【００１５】
この実施形態の冷蔵庫によれば、上記本体部、上記弾性部および上記反発力方向変換部は、一体に連なって、形成されているので、カバー部材を一体成型できる。
【００１６】
また、一実施形態の冷蔵庫では、上記押圧部は、上記ヒンジピンに接触する面に、凸部を有する。
【００１７】
この実施形態の冷蔵庫によれば、上記押圧部は、上記ヒンジピンに接触する面に、凸部を有するので、押圧部とヒンジピンとの摩擦を低減できる。
【発明の効果】
【００１８】
この発明の冷蔵庫によれば、上記下ヒンジ部は、自閉機構を有し、上記カバー部材は、押圧部を有するので、扉の自閉性を向上しつつ、扉の自閉時における扉の上部のヒンジピンの抜けを防止する。
【発明を実施するための最良の形態】
【００１９】
以下、この発明を図示の実施の形態により詳細に説明する。
【００２０】
図１は、この発明の冷蔵庫の一実施形態である平面図を示している。図２は、図１のＡ−Ａ断面図を示している。図３は、図１のＢ−Ｂ断面図を示している。
【００２１】
図１〜図３に示すように、この冷蔵庫は、冷蔵庫本体１と扉２とヒンジ保持部材３とヒンジピン４とカバー部材５と下ヒンジ部６とを有する。扉２は、ヒンジピン４の軸回りに回動し、冷蔵庫本体１に対して開閉可能になる。図１〜図３では、扉２は、右開きであり、閉じた状態を示している。なお、「右側」とは、冷蔵庫の扉に向かった正面視の右側をいう。
【００２２】
上記冷蔵庫本体１の上部は、テーブル部１０であり、このテーブル部１０の上面は、テーブル面として利用される。
【００２３】
上記扉２は、左右両側のそれぞれの上部（上面）に取付孔２０を有する。扉２の内部は、ウレタン等の断熱材７で満たされている。
【００２４】
上記ヒンジ保持部材３は、冷蔵庫本体１のテーブル部１０の左右両側のそれぞれに設けられている。具体的に述べると、ヒンジ保持部材３は、プレート状であり、冷蔵庫本体１の上面に、ねじ等にて取り付けられている。また、ヒンジ保持部材３は、扉２の取付孔２０の上側でこの取付孔２０に重なる貫通孔３０を有する。
【００２５】
上記ヒンジピン４は、ヒンジ保持部材３の貫通孔３０の上側から、この貫通孔３０に挿通され、扉２の取付孔２０に抜き取り自在に差し込まれて、扉２を冷蔵庫本体１に対して回動可能に取り付ける。ヒンジピン４は、左右両側の貫通孔３０および取付孔２０に択一的に取り付けられる。
【００２６】
上記カバー部材５は、冷蔵庫本体１の左右両側のそれぞれに離脱自在に取り付けられ、ヒンジ保持部材３およびヒンジピン４を覆う。左右のカバー部材５は、互いに対称に、形成されている。カバー部材５は、弾性変形して、テーブル部１０の前縁部に着脱される。
【００２７】
上記下ヒンジ部６は、扉２の左右両側のそれぞれの下側に配置され、扉２を冷蔵庫本体１に対してヒンジピン４の軸回りに回動可能に取り付ける。下ヒンジ部６は、扉２を下降させながら閉じる方向に回動案内する自閉機構６０を有する。自閉機構６０は、扉２の自重により、扉２を閉じる。
【００２８】
上記扉２と上記ヒンジピン４は、ヒンジピン４が扉２の取付孔２０に差し込まれた状態で、ヒンジピン４の軸回り方向に相互に位置決めされている。具体的に述べると、ヒンジピン４の先端部は、Ｄカット加工を施され、扉２の取付孔２０は、ヒンジピン４の先端部に対応する形状に形成されている。このように、簡単な構成で、ヒンジピン４と取付孔２０とを嵌合することができる。
【００２９】
上記ヒンジピン４は、段付部４ａを有し、この段付部４ａは、ヒンジピン４がヒンジ保持部材３に差し込まれた状態で、扉２の上部に接触して、扉２を下側に押し付ける。
【００３０】
上記カバー部材５は、ヒンジピン４に、下向きの力を常時弾性的に付与する押圧部５０を有する。この押圧部５０は、ヒンジピン４からの反発力の少なくとも一部を、カバー部材５が冷蔵庫本体１に係止する方向に、向きを変える。
【００３１】
図３に示すように、上記カバー部材５は、ヒンジピン４を覆う本体部５１と、この本体部５１に取り付けられる板バネ状の弾性部５２と、この弾性部に接続される蛇腹状の反発力方向変換部５３とを有する。上記押圧部５０は、弾性部５２と反発力方向変換部５３とを含む。
【００３２】
上記本体部５１、上記弾性部５２および上記反発力方向変換部５３は、同じ材質で、一体に連なって、形成されている。つまり、カバー部材５は、一体成型されている。
【００３３】
上記本体部５１は、テーブル部１０の係止部１０ａに、離脱自在に係止する係止部５１ａを有する。カバー部材５を、テーブル部１０に対して、図３の右方向に力を加えることで、本体部５１の係止部５１ａと、テーブル部１０の係止部１０ａとは、係止する（引っ掛かって動かない）。つまり、カバー部材５が冷蔵庫本体１に係止する（引っ掛かる）方向は、図３の右方向である。なお、カバー部材５を、テーブル部１０に対して、図３の左方向に力を加えることで、本体部５１の係止部５１ａと、テーブル部１０の係止部１０ａとは、離隔して離脱する。
【００３４】
上記弾性部５２は、ヒンジピン４に弾性的に接触する。弾性部５２の先端は、テーブル部１０にカバー部材５を装着した時に、ヒンジピン４の頭部４ｂを押さえている。図４に示すように、弾性部５２の先端におけるヒンジピン４の頭部４ｂに接触する面には、弾性部５２とヒンジピン４との摩擦を低減する為の複数の凸部５２ａが設けられている。この凸部５２ａの形状は、例えば、半円又は半球状であり、摩擦を低減する形状であればよい。
【００３５】
図３に示すように、上記反発力方向変換部５３は、その蛇腹形状により、弾性部５２の弾性力によるヒンジピン４からの反発力を、カバー部材５が冷蔵庫本体１に係止する方向に、向きを変える。
【００３６】
このように、弾性部５２が、ヒンジピン４の頭部４ｂを押さえることにより、ヒンジピン４の段付部４ａが、扉２の上部を、矢印に示す下方向に押さえることができ、扉２の自重だけでなく、弾性部５２の弾性力（外力）により、扉２を下降させることができ、自閉機構６０の自閉機能を向上できる。
【００３７】
また、弾性部５２が、ヒンジピン４の頭部４ｂを押さえることにより、ヒンジピン４からの反発力を受けて、反発力方向変換部５３が縮んだ状態となって、反発力方向変換部５３は、反発力を、垂直方向から、矢印に示す水平方向に分力化する。この水平方向は、カバー部材５がテーブル部１０に係止する方向である。
【００３８】
上記カバー部材５の本体部５１を、下側に押し弾性変形させた後に、図３の右側に引っ張ることで、図５に示すように、カバー部材５をテーブル部１０から取り外すことができる。
【００３９】
図５は、扉２を開けたまま、カバー部材５を取り外した状態を示す。扉２を開けることで、扉２は、自閉機構６０に逆らって、高さｈだけ上昇しつつ回動する。同時に、ヒンジピン４も、高さｈだけ上昇する。カバー部材５を取り外した状態で、押圧部５０は、自由状態となる。
【００４０】
図６に示すように、上記下ヒンジ部６は、冷蔵庫本体１に取り付けられる下アングル６２と、この下アングル６２に取り付けられる下ヒンジ部材６４と、扉２に取り付けられる上ヒンジ部材６３とを有する。
【００４１】
下アングル６２および下ヒンジ部材６４は、冷蔵庫本体１の左右両側のそれぞれに取り付けられ、上ヒンジ部材６３は、扉２の左右両側のそれぞれに取り付けられる。なお、下アングル６２および下ヒンジ部材６４を、冷蔵庫本体１の左右両側のうちの扉２の回動軸側の一方に取り付けるようにしてもよく、上ヒンジ部材６３を、扉２の左右両側のうちの扉２の回動軸側の一方に取り付けるようにしてもよい。
【００４２】
上ヒンジ部材６３および下ヒンジ部材６４は、互いに摺動して、下アングル６２と扉２とを相対的に回動可能に連結する。上記自閉機構６０は、上ヒンジ部材６３と下ヒンジ部材６４とを含む。
【００４３】
図７に示すように、上記下ヒンジ部材６４は、上方に突出して扉２の回動軸となるピン部６４ｄを有する。ピン部６４ｄは、左右の下ヒンジ部材６４のうちの扉２の回動軸側の一方に、択一的に取り付けられる。ピン部６４ｄの座面には、傾斜部６４ｂが設けられている。この傾斜部６４ｂは、ピン部６４ｄを中心とした所定の回転角度α（図９参照）の範囲に位置すると共に、ピン部６４ｄを中心とした点対称の位置に設けられている。傾斜部６４ｂの隣の一方側に、凹部６４ａが設けられ、傾斜部６４ｂの隣の他方側に、凸部６４ｃが設けられている。
【００４４】
図８に示すように、上記上ヒンジ部材６３は、扉２に埋設される筒部６３ｅが上方に突設され、ピン部６４ｄを嵌合する嵌合孔６３ｄが筒部６３ｅにより形成される。上ヒンジ部材６３の下面の嵌合孔６３ｄの周囲には、傾斜部６３ｂが設けられている。この傾斜部６３ｂは、嵌合孔６３ｄを中心とした上記傾斜部６４ｂと同じ回転角度α（図９参照）の範囲に位置すると共に、嵌合孔６３ｄを中心とした点対称の位置に設けられている。傾斜部６３ｂの隣の一方側に、凸部６３ａが設けられ、傾斜部６３ｂの隣の他方側に、凹部６３ｃが設けられている。
【００４５】
図９は、扉２を閉じた状態の上ヒンジ部材６３および下ヒンジ部材６４を示す平面図である。上ヒンジ部材６３を仮想線にて示し、下ヒンジ部材６４を実線にて示している。
【００４６】
図９に示すように、嵌合孔６３ｄにはピン部６４ｄが嵌合され、扉２が回動自在になっている。扉２を閉じた状態では、上ヒンジ部材６３の傾斜部６３ｂが下ヒンジ部材６４の傾斜部６４ｂに当接する。
【００４７】
このとき、上ヒンジ部材６３の凸部６３ａと下ヒンジ部材６４の凹部６４ａとは、対向しつつ離隔しており、上ヒンジ部材６３の凹部６３ｃと下ヒンジ部材６４の凸部６４ｃとは、対向しつつ離隔している。これにより、傾斜部６３ｂ、６４ｂは、面接触して扉２が自重によって閉じる方向に付勢される。したがって、扉２の閉止状態を確実に維持することができる。
【００４８】
そして、矢印Ｃに示す方向に扉２を開くと、上ヒンジ部材６３が、扉２とともに、下ヒンジ部材６４に対して矢印Ｃ方向に回動し、傾斜部６３ｂ、６４ｂが摺動して、扉２が自重およびカバー部材５（図３参照）の付勢力に抗して持ち上げられる。扉２が所定角度回動すると、上ヒンジ部材６３の凸部６３ａが、下ヒンジ部材６４の凸部６４ｃに乗り上げる。その後、上ヒンジ部材６３の凸部６３ａが、下ヒンジ部材６４の凸部６４ｃに摺動して、扉２が開かれる。
【００４９】
一方、扉２を閉じる際には、上ヒンジ部材６３の凸部６３ａが、下ヒンジ部材６４の凸部６４ｃに摺動した後、傾斜部６３ｂ、６４ｂが摺動する。この時、扉２は、自重およびカバー部材５（図３参照）の付勢力によって自閉される。
【００５０】
次に、上記扉２を右開きから左開きに変更する場合を説明する。
【００５１】
まず、図２に示すように、左右のカバー部材５を弾性変形させて冷蔵庫本体１から取り外す。そして、扉２を閉じた状態で、扉２の右側の取付孔２０、および、右側のヒンジ保持部材３の貫通孔３０に差し込まれているヒンジピン４を抜き取る。
【００５２】
また、扉２の右下側に取り付けられている上ヒンジ部材６３を右側の下ヒンジ部材６４から抜き取り、扉２を冷蔵庫本体１から取り外す。
【００５３】
その後、扉２の左下側に取り付けられている上ヒンジ部材６３を左側の下ヒンジ部材６４に差し込む。また、抜き取ったヒンジピン４を、左側のヒンジ保持部材３の貫通孔３０、および、扉２の左側の取付孔２０に差し込むことで、扉２を左開きに変更することができる。そして、左右のカバー部材５を弾性変形させて冷蔵庫本体１に再度取り付ける。このように、専用工具を使用せず、容易に自閉機能を有したまま扉２の左右開きを変更することができる。
【００５４】
上記構成の冷蔵庫によれば、下ヒンジ部６は、扉２を下降させながら閉じる方向に回動案内する自閉機構６０を有するので、下ヒンジ部６は、扉２の自重で扉２を下降させながら閉じることができる。
【００５５】
また、カバー部材５は、ヒンジピン４に、下向きの力を常時弾性的に付与する押圧部５０を有するので、カバー部材５の押圧部５０は、ヒンジピン４を介して、扉２に下向きの力を常時弾性的に付与する。
【００５６】
このため、下ヒンジ部６において摩擦力が扉２の下降を妨げても、カバー部材５の押圧部５０により、扉２に下向きの力が加わることで、扉２は自閉できる。また、扉２の自閉時に、カバー部材５の押圧部５０により、ヒンジピン４に下向きの力が加わることで、ヒンジピン４は扉２の下降に追従して、ヒンジピン４は扉２から抜け出ることがない。したがって、扉２の自閉性を向上しつつ、扉２の自閉時におけるヒンジピン４の抜けを防止する。
【００５７】
また、冷蔵庫本体１の左右両側のそれぞれに離脱自在に取り付けられると共にヒンジ保持部材３およびヒンジピン４を覆うカバー部材５を備えるので、扉２の左右開きを変更するときに、左右のカバー部材５を個別に取り外して、ヒンジピン４を左右に差し変える。したがって、カバー部材５は、冷蔵庫本体１の左右両側のそれぞれに設けられ、カバー部材５を小型に形成できるので、扉２の左右開きを変更するときに、カバー部材５の取り外しの作業スペースを小さくできる。
【００５８】
また、上記構成の冷蔵庫によれば、押圧部５０は、ヒンジピン４からの反発力の少なくとも一部を、カバー部材５が冷蔵庫本体１に係止する方向に、向きを変えるので、カバー部材５が冷蔵庫本体１から離脱することを防止する。
【００５９】
また、上記構成の冷蔵庫によれば、カバー部材５は、弾性部５２と反発力方向変換部５３とを有するので、弾性部５２が受けるヒンジピン４からの反発力を、反発力方向変換部５３により、カバー部材５と冷蔵庫本体１との係止方向に、向きを変えることができて、簡単な構成で、カバー部材５の冷蔵庫本体１からの離脱を防止する。
【００６０】
なお、この発明は上述の実施形態に限定されない。例えば、自閉機構の構造として、傾斜部６３ｂ、６４ｂの一方を他方に線接触する山形の突起にしてもよく、これにより、傾斜部６３ｂ、６４ｂの摺動摩擦を低減することができる。
【図面の簡単な説明】
【００６１】
【図１】本発明の冷蔵庫の一実施形態を示す平面図である。
【図２】図１のＡ−Ａ断面図である。
【図３】図１のＢ−Ｂ断面図である。
【図４】押圧部の弾性部の拡大図である。
【図５】扉を開けたままカバー部材を取り外した状態を示す断面図である。
【図６】下ヒンジ部の拡大図である。
【図７】下アングルおよび下ヒンジ部材を示す斜視図である。
【図８】上ヒンジ部材を示す斜視図である。
【図９】扉を閉じた状態の上ヒンジ部材および下ヒンジ部材を示す平面図である。
【符号の説明】
【００６２】
１    冷蔵庫本体
１０  テーブル部
１０ａ  係止部
２    扉
２０  取付孔
３    ヒンジ保持部材
３０  貫通孔
４    ヒンジピン
５    カバー部材
５０  押圧部
５１  本体部
５１ａ  係止部
５２  弾性部
５２ａ  凸部
５３  反発力方向変換部
６    下ヒンジ部
６０  自閉機構
６２  下アングル
６３  上ヒンジ部材
６３ａ  凸部
６３ｂ  傾斜部
６３ｃ  凹部
６４  下ヒンジ部材
６４ａ  凹部
６４ｂ  傾斜部
６４ｃ  凸部
【図１】
2010127477.tif 000003
【図２】
2010127477.tif 000004
【図３】
2010127477.tif 000005
【図４】
2010127477.tif 000006
【図５】
2010127477.tif 000007
【図６】
2010127477.tif 000008
【図７】
2010127477.tif 000009
【図８】
2010127477.tif 000010
【図９】
2010127477.tif 000011